(57)【特許請求の範囲】
【請求項１】
フード部を有し雄側端子金具がそのタブを前記フード部内に突出させた状態で収容された雄ハウジングと、前記フード部内に嵌合可能で雌側端子金具が収容された雌ハウジングと、前記雄側端子金具のタブが貫通される保持孔が開口され前記フード部内に前記両ハウジングの嵌合方向に沿って移動可能に挿入されたムービングプレートとを具備したコネクタにおいて、
前記ムービングプレートは、前記保持孔が開口された基板の周縁に前方を向いた側壁が形成された形状であって、この側壁の外周面が前記雄ハウジングのフード部内に、前記側壁の内周面の内側に前記雌ハウジングがそれぞれ嵌合されるようになっており、
このムービングプレートの側壁における前記雌ハウジングの外周面と対向する前記内周面と、前記雄ハウジングのフード部の内周面と対向する前記外周面とに、それぞれシール部材が設けられていることを特徴とするコネクタ。
【請求項２】
前記シール部材は、二色成形により前記ムービングプレートと一体形成されていることを特徴とする請求項１記載のコネクタ。
【請求項３】
前記雄ハウジングのフード部の内周面では、前記ムービングプレートが正規位置まで押し込まれた場合における前記外側のシール部材が嵌合する領域が、その手前の領域よりも縮径されており、前記縮径された領域で初めて前記外側のシール部材が所定量弾縮されるようになっていることを特徴とする請求項１または請求項２記載のコネクタ。
【請求項４】
前記内外のシール部材の配設面が前記ムービングプレートの移動方向の前後にずれて設定され、かつ前記外側のシール部材の配設面が径方向の内方に退避して設けられていることを特徴とする請求項１ないし請求項３のいずれかに記載のコネクタ。
【請求項５】
前記内外のシール部材が径方向において重なって設けられていることを特徴とする請求項４記載のコネクタ。
【発明の詳細な説明】
【０００１】
【発明の属する技術分野】
本発明は、ムービングプレートを備えたコネクタに関する。
【０００２】
【従来の技術】
ムービングプレートを備えたコネクタは、雄ハウジングのフード部内に突出した雄側端子金具のタブを正確に整列し、またタブが外力で変形するのを阻止すること等を意図して形成されており、例えば特開平１１−２０４１８４号等に開示されている。ムービングプレートは、雄側端子金具のタブが貫通される保持孔を有し、フード部内に両ハウジングの嵌合方向に沿って移動可能に挿入されており、初めはタブの先端を保持孔に臨ませる程度でフード部の開口側に装着され、雄ハウジングのフード部内に相手の雌ハウジングが嵌合されると、タブが保持孔内を相対的に進入してムービングプレートがフード部の奥方に移動しつつ、雌雄の対向した端子金具同士が接続されるようになっている。
一方この種のコネクタでも防水機能を求められる場合があり、一般には、雄ハウジングのフード部における開口側の内周面と、雌ハウジングにおける対向した外周面との間にシールリングを介装した構造が採られる。
【０００３】
【発明が解決しようとする課題】
しかるに、シールリングを雌ハウジングの外周面に装着すると、雌ハウジング単体の時にはシールリングが剥き出しとなるから、それを保護するために回りに保護用のフード部を設ける手当が必要となり、コネクタが特に径方向に大型化する。逆に、シールリングを雄ハウジングのフード部における開口側の内周面に装着すると、フード部内に装着されたムービングプレートとの干渉を避けるべくフード部の先端を延出する手当が必要となり、今度はコネクタが軸線方向に大型化する。
すなわち従来では、ムービングプレート付きのコネクタに防水機能を付設しようとすると、コネクタの大型化が避けられないのが実状であった。
本発明は上記のような事情に基づいて完成されたものであって、その目的は、大型化を招くことなく防水機能を果たし得るムービングプレート付きのコネクタを提供するところにある。
【０００４】
【課題を解決するための手段】
上記の目的を達成するための手段として、請求項１の発明は、フード部を有し雄側端子金具がそのタブを前記フード部内に突出させた状態で収容された雄ハウジングと、前記フード部内に嵌合可能で雌側端子金具が収容された雌ハウジングと、前記雄側端子金具のタブが貫通される保持孔が開口され前記フード部内に前記両ハウジングの嵌合方向に沿って移動可能に挿入されたムービングプレートとを具備したコネクタにおいて、前記ムービングプレートは、前記保持孔が開口された基板の周縁に前方を向いた側壁が形成された形状であって、この側壁の外周面が前記雄ハウジングのフード部内に、前記側壁の内周面の内側に前記雌ハウジングがそれぞれ嵌合されるようになっており、このムービングプレートの側壁における前記雌ハウジングの外周面と対向する前記内周面と、前記雄ハウジングのフード部の内周面と対向する前記外周面とに、それぞれシール部材が設けられている構成としたところに特徴を有する。
請求項２の発明は、請求項１に記載のものにおいて、前記シール部材は、二色成形により前記ムービングプレートと一体形成されているところに特徴を有する。
ここで二色成形とは、１個の金型またはダイを共有する二色射出成形機あるいは二色押出機などにより、二色または二種の合成樹脂材から一体成形品を成形することである。
【０００５】
請求項３の発明は、請求項１または請求項２に記載のものにおいて、前記雄ハウジングのフード部の内周面では、前記ムービングプレートが正規位置まで押し込まれた場合における前記外側のシール部材が嵌合する領域が、その手前の領域よりも縮径されており、前記縮径された領域で初めて前記外側のシール部材が所定量弾縮されるようになっているところに特徴を有する。
請求項４の発明は、請求項１ないし請求項３のいずかに記載のものにおいて、前記内外のシール部材の配設面が前記ムービングプレートの移動方向の前後にずれて設定され、かつ前記外側のシール部材の配設面が径方向の内方に退避して設けられているところに特徴を有する。
請求項５の発明は、請求項４に記載のものにおいて、前記内外のシール部材が径方向において重なって設けられているところに特徴を有する。
【０００６】
【発明の作用及び効果】
＜請求項１の発明＞
ムービングプレートに設けられたシール部材を介して雌雄のハウジングの間がシールされる。
ムービングプレートにシール部材を設けたから、雌ハウジングに保護用のフード部を設けたり、雄ハウジングのフード部の先端を延ばす必要がない。すなわちコネクタの大型化を招くことなく防水機能を果たすことができる。
＜請求項２の発明＞
ムービングプレートにシール部材を設けること自体が簡単にできる。
【０００７】
＜請求項３の発明＞
ムービングプレートが雌ハウジングともどもフード部の内周面に沿って押し込まれる際、嵌合の終盤に至って初めて外側のシール部材が弾縮されるから、嵌合途中での摩擦抵抗が削減され、低嵌合力を実現することができる。
＜請求項４の発明＞
外側のシール部材が径方向に引っ込んだ状態で配設されるから、外側のシール部材を含んだムービングプレートの径方向の寸法、ひいてはこれが嵌合される雄ハウジングのフード部の径方向の寸法が小さくでき、コネクタ全体の小型化を図ることができる。
＜請求項５の発明＞
外側のシール部材を径方向にさらに引っ込んだ状態に配設でき、さらなるコネクタの小型化が図られる。
【０００８】
【発明の実施の形態】
以下、本発明の一実施形態を図１ないし図１０に基づいて説明する。
この実施形態のコネクタは、図１に示すように、雌側のコネクタハウジング１０（以下、雌ハウジングという）と、雄側のコネクタハウジング２０（以下、雄ハウジング）とを備えており、雄ハウジング２０にはムービングプレート４０が設けられているとともに、レバー３０を利用して嵌合操作がなされる構造である。
なお以下では、雌雄のハウジング１０，２０において、それぞれ嵌合端側を前端として説明する。
【０００９】
雌ハウジング１０は、図２にも示すように、合成樹脂材によってほぼ直方体状に形成されており、前端部１１Ａが一回り小さくされた段付き形状となっているとともに、後端部１１Ｂにおける短寸側の一方の側面にガイドリブ１２が立てられている。雌ハウジング１０内には、端子挿入口１３を嵌合面に開口した複数のキャビティが整列して形成され、各キャビティ内に雌側端子金具（図示せず）が後面側から収容されている。雌ハウジング１０の後面には、各雌側端子金具に接続された電線を覆って一方向（図１の左側）に引き出すカバー１４が装着されている。また、後端部１１Ｂにおける長寸側の両側面の中央部には、フォロワピン１５が立てられている。
【００１０】
一方の雄ハウジング２０は、同じく合成樹脂材によって形成され、図３及び図４にも示すように、キャビティの形成された本体部２１の前面側に、上記した雌ハウジング１０が嵌合されるフード部２２が形成されている。各キャビティ内には雄側端子金具２３が後面側から挿入され、先端のタブ２４がフード部２２内に所定寸法突出した状態で収容されている。フード部２２における一方の短寸側の側面の前端部分には、前方に開口したガイド溝２６が外側に出っ張って形成されている。また、フード部２２の内周面では、図９に詳細に示すように、奥側の所定幅の部分が、テーパ面２７を介して内方に張り出した縮径面２８とされている。
またこの雄ハウジング２０には、二股状のレバー３０が跨ぐようにして装着され、軸３１を中心として、図１に示す始端位置と、図８に示す終端位置との間で回動可能に支持されている。レバー３０には、上記したフォロワピン１５が嵌まる所定形状のカム溝３２が形成されている。
【００１１】
ムービングプレート４０は同じく合成樹脂材により形成され、図５にも示すように、基板４１の周縁に前方を向いた側壁４２を巡らせた形状となっており、ただし基板４１側である後端部４２Ｂでは一回り小さく絞られている。基板４１には、雄ハウジング２０に装着された雄側端子金具２３のタブ２４をほぼ緊密に挿入可能な保持孔４４が、タブ２４の突出位置と対応して形成されている。
このムービングプレート４０は、側壁４２の大きい方である前端部４２Ａの外周面が、雄ハウジング２０のフード部２２内に緊密に嵌合可能であり、この側壁４２の前端部４２Ａの内側に雌ハウジング１０の後端部１１Ｂの外周面が緊密に嵌合可能となっている。
【００１２】
なお、側壁４２の前端部４２Ａにおける一方の短寸側の面には、その開口縁側に、上記した雄ハウジング２０のガイド溝２６よりも一回り小さくかつ短寸の別のガイド４６が形成され、雄ハウジング２０のガイド溝２６に嵌合可能であるとともに、ガイド４６の内側には、雌ハウジング１０のガイドリブ１２が嵌合可能となっている。
また側壁４２における小さい方の後端部４２Ｂの内周面には、雌ハウジング１０における小さい方の前端部１１Ａの外周面が緊密に嵌合可能とされている。
【００１３】
さて、ムービングプレート４０の側壁４２における前端部４２Ａの内周面の付け根部分５３には、雌ハウジング１０との間のシールを採るための第１シールリング５１が設けられている。第１シールリング５１の外周面には３条のリップ５１Ａが形成され、図９に示すように、形成時にはリップ５１Ａの先端が側壁４２の後端部４２Ｂの内周面よりも内側に突出している。
一方、ムービングプレート４０の側壁４２における後端部４２Ｂの外周面５４には、その全幅にわたって、雄ハウジング２０のフード部２２との間のシールを採るための第２シールリング５２が設けられている。第２シールリング５２の外周面にも３条のリップ５２Ａが形成され、形成時にはリップ５２Ａの先端が側壁４２の前端部４２Ａの内周面付近まで突出している。また、雄ハウジング２０のフード部２２の内周面との関係で言うと、後記のようにムービングプレート４０が正規位置まで押し込まれて初めて、第２シールリング５２のリップ５２Ａが、フード部２２の縮径面２８と対向してリップ５２Ａが弾縮可能であり、それよりも手前側では、図９に示すように、第２シールリング５２のリップ５２Ａと、フード部２２の内周面との間にクリアランスＣが存在する設定となっている。
【００１４】
これらの第１及び第２のシールリング５１，５２は、二色成形によってムービングプレート４０と一体に形成されている。これは例えば、コアバック方式の二色射出成形機により異材質から一体成形品が成形されており、ムービングプレート４０は硬質の合成樹脂材からなり、シールリング５１，５２はエラストマーからなっている。
なお、ムービングプレート４０の長寸側の側壁４２の内面には、雌ハウジング１０のフォロワピン１５を嵌めて逃がす逃がし溝４７が、開口縁から切り込み形成されている。
【００１５】
続いて本実施形態の作用を説明する。雄ハウジング２０では、雄側端子金具２３を収容したのち、図１に示すように、ガイド４６をガイド溝２６に合わせてムービングプレート４０をフード部２２の開口縁と面一に装着する。そうすると、フード部２２内に突出した雄側端子金具２３のタブ２４の先端が、ムービングプレート４０の基板４１に形成された対応する保持孔４４内に嵌合される。これにより雄ハウジング２０が単体で取り扱われる際、異物が入り込んだりしてもムービングプレート４０で保護されてタブ２４の先端が曲がったりすることが防止され、またアライメントも担保される。レバー３０は始端位置に保持される。
雌ハウジング１０側では、雌側端子金具が収容されたのち、その後面にカバー１４が取り付けられる。そしてガイドリブ１２をガイド４６に合わせて、図１の矢線に示すように、雌ハウジング１０を雄ハウジング２０のフード部２２内のムービングプレート４０に向けて嵌合する。
【００１６】
そうすると、図６に示すように、まず雌ハウジング１０の嵌合面がムービングプレート４０の基板４１と当接するまで嵌合される。これにより、ムービングプレート４０の保持孔４４に臨んでいる雄側端子金具２３のタブ２４の先端が、雌ハウジング１０の対応する端子挿入口１３と正対した状態となる。一方、第１シールリング５１は、雌ハウジング１０の前端部１１Ａの外周面と、ムービングプレート４０の側壁４２の前端部４２Ａの内周面との間に圧縮されて介装された状態となる。
このとき同時に、雌ハウジング１０のフォロワピン１５が、雄ハウジング２０に装着されたレバー３０のカム溝３２の入口３３（図１参照）に嵌入される。
【００１７】
続いて、図７に示すように、レバー３０を軸３１を中心として終端位置に向けて回動すると、カム溝３２とフォロワピン１５との間のカム作用によって、雌ハウジング１０がムービングプレート４０ともどもフード部２２の奥側に引き寄せられる。雄側端子金具２３のタブ２４は相手の端子挿入口１３と正対しており、また保持孔４４により真直姿勢に保持されつつ端子挿入口１３内にスムーズに進入し、相手の雌側端子金具と次第に嵌合接続される。
途中から、ムービングプレート４０に装着された第２シールリング５２のリップ５２Ａが、テーパ面２７を介して弾縮されつつフード部２２の縮径面２８に次第に乗り上げる。
【００１８】
そして、レバー３０が終端位置まで回動されると、図８に示すように、ムービングプレート４０の基板４１がフード部２２の奥面に当接して嵌合動作が終了し、各雄側端子金具２３が相手の雌側端子金具と正規に接続される。また、ムービングプレート４０の側壁４２における後端部４２Ｂの外周面５４に設けられた第２シールリング５２は、フード部２２の内周面の奥の縮径面２８との間で圧縮される。
すなわち、図１０に詳細に示すように、ムービングプレート４０に形成された第１シールリング５１が、その側壁４２の内周面と雌ハウジング１０の外周面との間をシールし、また第２シールリング５２が、側壁４２の外周面とフード部２２の内周面との間をシールし、その結果、雌雄のハウジング１０，２０間がシールされて、端子金具の接触部分に浸水することが防止される。
【００１９】
このように本実施形態によれば、ムービングプレート４０にシールリング５１，５２を一体的に設けた構造としたから、従来の雌ハウジングの外周にシールリングを装着する場合のようにそれ保護するための別のフード部を設けたり、あるいは雄ハウジングのフード部の内周にシールリングを装着する場合のようにムービングプレートとの干渉を避けるべくフード部の先端を延ばす必要がない。すなわちコネクタの大型化を招くことなく、確実に防水機能を果たすことができる。特に、シールリング５１，５２は二色成形によってムービングプレート４０に一体形成されているから、ムービングプレート４０にシールリングを設けること自体が簡単にできる。
【００２０】
雄ハウジング１０におけるフード部２２の内周面において、その奥端にのみ縮径面２８を設けた形状とし、嵌合の終盤に掛かって初めて第２シールリング５２が縮径面２８に乗り上げて弾縮されるようにしたから、嵌合途中で余分な摩擦抵抗が作用することがなく、もって低嵌合力を実現することができる。
また、フード部２２との間のシールを取る第２シールリング５２をムービングプレート４０に設けるに当たり、第１シールリング５１の配設位置とは軸方向にずれた側壁４２の後端部４２Ｂを縮径し、その縮径された外周面５４に第２シールリング５２を配したから、第２シールリング５２を含んだムービングプレート４０の径方向の寸法、ひいてはこれが嵌合される雄ハウジング２０のフード部２２の径方向の寸法が小さくでき、コネクタ全体の小型化を図ることができる。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）第２シールリング５２をムービングプレート４０に設ける場合において、図１１に示すように、第２シールリング５２が設けられる側壁４２の後端部４２Ｂをより縮径して、第２シールリング５２の内周が第１シールリング５１の外周とラップするように配すると、第２シールリング５２が径方向にさらに引っ込んだ状態とされ、さらなるコネクタの小型化が図られる。
（２）シールリングをムービングプレートに設ける手段としては、上記実施形態に例示した二色成形に限らず、インサート成形で一体的に形成したり、別体として形成したものを溶着や嵌め込み等で後組みするようにしてもよい。
（３）本発明は、レバーを使用しないムービングプレート付きのコネクタにも同様に適用可能である。
【図面の簡単な説明】
【図１】本発明の一実施形態に係る雌雄ハウジングの嵌合前の一部切欠側面図
【図２】雌ハウジングの正面図
【図３】雄ハウジングの正面図
【図４】その側面図
【図５】ムービングプレートの側面図
【図６】初めの嵌合状態の一部切欠側面図
【図７】嵌合途中の一部切欠側面図
【図８】嵌合完了時の一部切欠側面図
【図９】ハウジングの嵌合前の部分拡大断面図
【図１０】嵌合完了時の部分拡大断面図
【図１１】他の実施形態に係る嵌合完了時の部分拡大断面図
【符号の説明】
１０…雌ハウジング
１１Ａ…（雌ハウジング１０の）前端部
２０…雄ハウジング
２２…フード部
２３…雄側端子金具
２４…タブ
２７…テーパ面
２８…縮径面
４０…ムービングプレート
４１…基板
４２…側壁
４２Ａ…（側壁４２の）前端部
４２Ｂ…（側壁４２の）後端部
４４…保持孔
５１…第１シールリング（内側のシール部材）
５２…第２シールリング（外側のシール部材）
５３…（前端部４２Ａの内周面の）付け根部分（内側のシール部材の配設面）
５４…（後端部４２Ｂの）外周面（外側のシール部材の配設面）
【図１】
0003800495.tif 000002
【図２】
0003800495.tif 000003
【図３】
0003800495.tif 000004
【図４】
0003800495.tif 000005
【図５】
0003800495.tif 000006
【図６】
0003800495.tif 000007
【図７】
0003800495.tif 000008
【図８】
0003800495.tif 000009
【図９】
0003800495.tif 000010
【図１０】
0003800495.tif 000011
【図１１】
0003800495.tif 000012